(57)【特許請求の範囲】
【請求項１】
複数の凸片が刃縁を断続して被覆し、露出した刃縁と被覆された刃縁とを交互に備え、一対の凸片間には刃縁から下方に位置する平行な底部を有するとともに、毛髪の梳き量を調節する溝部を設けたヘアカット用剃刀において、一対の凸片は刃縁から突出する部分が同形の半円形であり、毛髪のカット時において刃縁が毛髪と交差する方向にヘアカット用剃刀を動かすとき、半円形の凸片の頂点を分岐点として毛髪が露出した刃縁側と溝部側に２分され、凸片の周縁に案内される毛髪が露出した刃縁と溝部へ経時的に移動し、露出された刃縁に供給される毛髪を調節するとともに、凸片の両側へ並設されたスペースＡを有するカット部と梳き容量を決めるスペースＢを有する溝部は、カット部のスペースＡを溝部のスペースＢより大きくし、毛髪のカット時に溝部のスペースＢ内の毛髪が梳き容量を超えたとき、凸片の頂点の近傍にある毛髪の一部が凸片の頂点を越えて溝部側から露出した刃縁側に移動可能とし、溝部の梳き容量を調節するヘアカット用剃刀。
【請求項２】
一対の凸片間に露出した刃縁の長さは、半円形の凸片の半径の２倍以上かつ５倍以内とし、溝部の底部の長さは露出した刃縁の長さより小さくした請求項１に記載のヘアカット用剃刀．
【発明の詳細な説明】
【０００１】
【発明の属する技術分野】
本発明はヘアカット用かみそりの改良にかんする。
【０００２】
【従来の技術】
従来、毛髪を部分的にカットするヘアカット用かみそりは、櫛歯と呼ばれる凸片を刃縁に沿って設け、断続する凸片により一定間隔毎に露出した刃縁と被覆された刃縁とを備える。ヘアカット用かみそりは、部分的なカットが基本であるから、全体的にいかにバランスがとれた自然な感じを与える髪に整えるかが大きなポイントである。このために、例えば、ヘアカット用かみそりの毛髪の梳き機能に着目し、毛髪の梳き量を調節するヘアカット用かみそりが開発されている。従来例としては、特開昭５４−７２１５５号、特開平１０−２４９０７５号、特開２０００−６１１７５号、実開昭５５−８６６７２号などに開示されるヘアカット用かみそりである。これは、毛髪のカットと溝部で毛髪の梳き量を調節するものであるが、凸片の側辺が露出した刃縁にほぼ直交しており、カット時に毛髪が凸片の先端から刃縁へと即時的（すなわち、ほぼ同時）に移動するため、バランスのとれたカットをおこなううえでマイナスの要因となっている。
【０００３】
【発明が解決しようとする課題】
本発明は、カット時において露出した刃縁に毛髪を安定して供給し、バランスのとれたカットができるヘアカット用かみそりの提供を目的とする。さらに毛髪の梳き量を調節し、バランスのとれたカットができるヘアカット用かみそりの提供を目的とする。
【０００４】
【課題を解決するための手段】
部分的なカットを基本とするヘアカット用かみそりにおいては、前記のように、バランスのとれた自然な感じを与える髪に整えることとが重要である。この課題に対応する本発明の基本的な思想は、毛髪のカット量や梳き量を調整し、カット量の一時的あるいは急激な増減を防止し、またカット量と毛髪の梳き量との調和をはかり、全体としてバランスのとれた髪を仕上げる点にある。
【０００５】
即ち、本発明は、複数の凸片が刃縁を断続して被覆し、露出した刃縁と被覆された刃縁とを交互に備え、一対の凸片間には刃縁から下方に位置する平行な底部を有するとともに、毛髪の梳き量を調節する溝部を設けたヘアカット用剃刃において、一対の凸片は刃縁から突出する部分が同形の半円形であり、毛髪のカット時において刃縁が毛髪と交差する方向にヘアカット用剃刀を動かすとき、半円形の凸片の頂点を分岐点として毛髪が露出した刃縁側と溝部側に２分され、凸片の周縁に案内される毛髪が露出した刃縁と溝部へ経時的に移動し、露出された刃縁に供給される毛髪を調節するとともに、凸片の両側へ並設されたスペースＡを有するカット部と梳き容量を決めるスペースＢを有する溝部は、カット部のスペースＡを溝部のスペースＢより大きくし、毛髪のカット時に溝部のスペースＢ内の毛髪が梳き容量を超えたとき、凸片の頂点の近傍にある毛髪の一部が凸片の頂点を越えて溝部側から露出した刃縁側に移動可能とし、溝部の梳き容量を調節するものである。
【０００６】
毛髪のカット時、刃縁が毛髪と交差する方向にヘアカット用かみそりを動かすと、毛髪は半円形の凸片の頂点を分岐点として露出した刃縁側と溝部側に分岐される。このように２分された毛髪は、半円形の凸片の周縁に案内されて隣接する露出した刃縁と溝部へそれぞれ移動する。一対の凸片は刃縁からの突出部分が同形の半円形であるから、少なくとも、凸片に接触する毛髪は瞬時に露出した刃縁と溝部へ移動することはない。この場合、経時的に、つまり若干、時間的にズレこみを生じて刃縁と溝部に移動する。これにより平均的に安定した毛髪の量が凸片から露出した刃縁に移動し、露出した刃縁におけるバランスのとれた毛髪のカットが可能となる。毛髪をほぼ均分化し、安定して刃縁に供給するためには、刃縁からの突出部分が同形の半円形とするのが有効である。なお、以下、「同形の半円形」は、設計上の差異を許容する。
【０００７】
また、半円形の凸片と、凸片の両側に並設されたスペースＡを有するカット部と梳き容量を決めるスペースＢを有する溝部を備え、カット部のスペースＡを溝部のスペースＢより大きくし、毛髪のカット時に溝部のスペースＢ内の毛髪が梳き容量を超えたとき、凸片の頂点の近傍にある毛髪の一部が頂点を越えて溝部側から露出した刃縁側に移動可能とし、溝部の梳き容量を調節する。
【０００８】
露出した刃縁は、通常、刃縁に接触する毛髪をカットし、一定量の毛髪を除去する。本発明では凸片から他の一定量の毛髪が露出した刃縁に供給されるから、カット部のスペースＡ内の毛髪量に大きな変化はない。スペースＡ内の毛量の調整はバランスのとれたカットをおこなうための重要な前提である。
【０００９】
露出した刃縁の長さは毛髪のカット量に関係する。すなわち、露出した刃縁の長さが大きいとカット量も多くなる。また、露出した刃縁の長さを小さくするとカット量は少なくなるが、カット量が少なすぎると何度もカット作業をする必要があるだけでなく、全体的にバランスのとれた髪の仕上げが困難となる。本発明では、凸片からさらに他の一定量の毛髪が露出した刃縁に供給され、その供給量との関係から、露出した刃縁の長さは半円形の凸片の半径の２倍以上でかつ５倍以内とした。これによりカット部のスペースＡにおける毛髪量の調整、つまりスペースＡにおける毛髪の一時的あるいは急激な増減を十分に防止し、バランスのとれたカットが可能となる。しかし刃縁の長さをできるだけ小さく押え、なおかつ凸片からの供給量を処理するために、露出した刃縁の長さを半円形の凸片の半径の２倍以上でかつ３倍以内とすることもできる。
【００１０】
また毛髪のカット時において、溝部に収容される毛髪が溝部の梳き容量を超えたとき、収容不能となった毛髪のうち半円形の凸片の頂点の近傍にある一部が頂点を越えて溝部側から露出した刃縁側へと移動し、梳き容量を調節する。すなわちヘアカットにおいては、毛髪のカット量のみならず毛髪の梳き量の調整も重要なポイントである。梳き容量は溝部のスペースＢにより決定され、通常は、溝部の梳き容量の範囲内で毛髪が梳かれる。しかし、梳き容量を超える毛髪がスペースＢに供給されたとき、スペースＢ内に収容不能の毛髪は溝部に留まることができず、一部が溝部側から露出した刃縁側へ移動しやすい状況にある。すなわち、凸片（刃縁からの突出部分）は半円形であるから、凸片の頂点やその近傍にある毛髪の一部がオーバーフローするかのように頂点を越え、溝部側から露出した刃縁側へと移動する。このように梳き容量を超える毛髪がスペースＢに供給されたような場合にも、溝部の梳き容量（最大量）を調整し、全体的にバランスのとれた毛髪に整えることができる。
【００１１】
【発明の実施の形態】
発明の実施の形態を添付の図面により説明する。
ヘアカット用かみそり１の刃体２は刃縁３より突出する凸片５により刃縁３が断続して被覆され、露出した刃縁３ａと被覆された刃縁３ｂを交互に備える。また一対の凸片５、５間にはカット時の毛髪の梳き量（最大量）を制限する溝部６が形成されている。溝部６は刃縁３から下方に位置する平行な底部７を有し、毛髪９が刃縁３に接触しないようになっている。底部７は刃縁３から下方に位置すればよく、特に限定はない。しかしその位置は溝部６の梳き容量（溝部６のスペースＢ）に関係する。そこで梳き容量を大きくするため、図示のように、底部７は、その長さを小さく押える一方、毛髪が刃縁３に接触しない程度に、刃縁３からわずかに下方に位置するのが望ましい。
【００１２】
一対の凸片５、５は、両端のもの３０を除き、刃縁３より突出する部分が同形の半円形であり、溝部６を挟んでその両側に配置された一対の凸片５、５は両者の中間線Ｘ−Ｘに対称的に配置されている。そこで、刃縁３が毛髪９と交差する方向にヘアカット用かみそり１を動かして毛髪９をカットするとき、凸片５の周縁１０に接触する毛髪９は半円形の凸片の頂点１１を分岐点とし、露出した刃縁３ａ側と溝部６側に２分され、これにより分岐した毛髪９ａ、９ｂが隣接する露出した刃縁３と溝部６へそれぞれ移動する。凸片５は刃縁３より突出する部分が半円形であるから、分岐した毛髪９ａ、９ｂは、周縁１０に案内されるとともに、
円弧状の周縁１０に沿って刃縁側へ移動する。ここで、「周縁１０沿って移動する」とは、毛髪９ａは周縁１０に接触しながら移動するものだけでなく、円弧状の周縁１０の影響を受けながら非直線的に移動するものを含む。毛髪９は円弧状の周縁１０に沿って刃縁５側へ移動するから、分岐後に毛髪９ａが露出した刃縁３ａ（あるいはその近辺）に達するまでに若干、時間的な遅れを生ずる。このように、毛髪９は経時的なプロセスを経て隣接する露出した刃縁５と溝部６に移動し、ほぼ均分化されて供給されるため、全体的にバランスよい毛髪９のカットが可能となる。これに対して、従来例のように、分岐した毛髪がほぼ即時的に露出した刃縁側に移動するものは、刃縁のカット能力を（大きく）超える毛髪が一時的に供給され、バランスよく毛髪をカットする上で障害となる。毛髪９のカットは、カットされる毛髪量やカット箇所など種々の条件により変化するが、刃縁３より突出する部分が半円形であるから、経時的な供給機能が有効に発揮される。
【００１３】
カット部のスペースＡは、底辺となる露出した刃縁３ａと、両側に配置された同形の半円形の凸片５、５により形成される。カット部の構成要素である露出した刃縁３ａの長さは、半円形の凸片５の半径の２倍以上でありかつ５倍以内とした。露出した刃縁３ａはカット部のスペースＡの毛髪９をカットするが、刃縁３ａにはさらに両側の凸片５、５で分岐される毛髪９ａ、９ａが供給される。オーバーフローしてくる毛髪を考慮したとき、刃縁３ａの長さは半円形の凸片５の半径の５倍まであればカット部のスペースＡに十分に収容される。
【００１４】
溝部６の梳き容量であるスペースＢは、刃縁３からわずかに下方にある平行な底部７と、同形の半円形の凸片５、５により形成されている。図示の場合は、凸片５、５がその中間線（図Ｘ−Ｘ線）に対して対称的に配置されている。そしてスペースＢの構成要素である底部７の長さは、露出した刃縁３ａの長さより小さくした。すなわち溝部６の梳き容量である溝部のスペースＢと、露出した刃縁３ａを含むカット部のスペースＡを比較すると、カット部のスペースＡが溝部のスペースＢより大きい。溝部のスペースＢに収容余力がある場合、凸片５の頂点１１から分岐した溝部側の毛髪９ｂ、９ｂが半円形の凸片５の周縁１０に沿い溝部６へ移動し、溝部のスペースＢに供給される。この場合も毛髪９ｂ、９ｂの即時的な移動がない。毛髪９ｂ、９ｂが急激に溝部６に移動しないことにより、安定性のある梳きが可能となり、梳きにもよい影響を与える。
【００１５】
このように、半円形の凸片５と、凸片５の両側に並設されたスペースＡを有するカット部と梳き容量を決めるスペースＢを有するカット部とを備え、カット部のスペースＡを溝部のスペースＢより大きく設定し、毛髪のカット時に溝部のスペースＢ内の毛髪が梳き容量を超えたとき、凸片の頂点１１の近傍にある収容不能な毛髪９の一部が頂点１１を越えて溝部６側から露出した刃縁３ａ側に移動可能とし、溝部６の梳き容量を調節するものである。なお本発明は、替刃式などその具体的な構造とは関係なく、いずれのヘアカット用かみそりにも適用される。
【００１６】
【発明の効果】
以上みたように、本発明は、露出した刃縁に供給される毛髪の量を安定化することができ、また毛髪の梳き量も調整されるから、全体としてバランスのとれた毛髪のカットが可能となる。
【図面の簡単な説明】
【図１】本発明にかかるヘアカット用かみそりの正面図である。
【図２】同ヘアカット用かみそりの刃体の部分的な拡大正面図である。
【図３】同ヘアカット用かみそりの刃体の部分的な拡大背面図である。
【図４】同刃体の凸片の部分的な拡大正面図である。
【図５】カット時における凸片と毛髪との関係の１例を示す説明図である。
【符号の説明】
１  ヘアカット用かみそり
２  刃体
３  刃縁
５  凸片
６  溝部
７  底部
９  毛髪
１０  周縁
１１  頂点
Ａ  カット部のスペース
Ｂ  溝部のスペース
【図１】
0003742990.tif 000002
【図２】
0003742990.tif 000003
【図３】
0003742990.tif 000004
【図４】
0003742990.tif 000005
【図５】
0003742990.tif 000006